(57)【特許請求の範囲】
【請求項１】
集合装置と、前記集合装置との間でデータ通信を行う少なくとも第１及び第２の端末装置とからなる通信システムであって、
前記端末装置と前記集合装置との間の通信状態の信号対雑音比を検出する信号対雑音比検出部と、
前記端末装置と前記集合装置との間の電力制御を行う送信出力制御部と、
前記端末装置と前記集合装置との間で測定した信号対雑音比と基準値とを比較して割り当てビット数を増減させ、雑音環境変化に適応したビットレートに制御するレート適応制御部とを備え、
前記第１の端末装置と前記集合装置との間の通信を開始する際に、前記第２の端末装置と前記集合装置との間の信号対雑音比を検出し、前記検出した信号対雑音比と前記基準値と比較しながら、前記第１の端末装置と前記集合装置との間の送信出力電力を制御する
ことを特徴とする通信システム。
【請求項２】
前記レート適応制御部は、前記基準値として、下限基準値である第１の基準値と当該第１の基準値より大きい値である第２の基準値とを有し、測定した信号対雑音比が前記第１の基準値を下回れば、割り当てビット数を減じてビットレートを下げ、測定した信号対雑音比が第２の基準値を超えれば、割り当てビット数を増加させてビットレートを上げる制御を行い、
前記送信出力電力の制御は、前記集合装置と前記第２の端末装置との間の信号対雑音比が前記第１の基準値より低下したら、前記集合装置と前記第１の端末装置との間の送信出力電力を一定にし、所定のタイムインターバルの経過後、前記レート適応制御により、前記集合装置と前記第２の端末装置との間の信号対雑音比が前記第２の基準値まで回復したら、再び、前記集合装置と前記第１の端末装置との間の送信出力電力を増加させる処理を繰り返して行う
ことを特徴とする請求項１に記載の通信システム。
【請求項３】
前記集合装置と前記第１の端末装置との間の送信出力電力を、漸次増加させる
ことを特徴とする請求項１または請求項２に記載の通信システム。
【請求項４】
さらに、前記第２の端末装置と前記集合装置との信号対雑音比を前記第２の基準値から前記第１の基準値に変化させるときの前記第１の端末装置の送信出力電力を記憶した記憶手段を備え、
前記集合装置と前記第１の端末装置との間の送信出力電力を、前記記憶手段に記憶されている送信出力電力に基づいて瞬時に増加させる
ことを特徴とする請求項１から請求項３までのいずれか１項に記載の通信システム。
【請求項５】
集合装置と、前記集合装置との間でデータ通信を行う少なくとも第１及び第２の端末装置とからなる通信システムの通信方法であって、
前記第１の端末装置と前記集合装置との間の通信を開始する際に、前記第２の端末装置と前記集合装置との間の信号対雑音比を検出するステップと、
前記第２の端末装置と前記集合装置との間で測定した信号対雑音比と基準値とを比較して割り当てビット数を増減させ、雑音環境変化に適応したビットレートに制御するステップと、
前記検出した信号対雑音比と前記基準値と比較しながら、前記第１の端末装置と前記集合装置との間の送信出力電力を制御するステップと、
を備えることを特徴とする通信方法。
【発明の詳細な説明】
【技術分野】
【０００１】
本発明は、ｘＤＳＬ（Digital Subscriber Line）通信の技術に関する。
【背景技術】
【０００２】
マンションのような集合住宅では、集合住宅内の配線方式としてメタリックケーブルが使われている。このような集合住宅に高速回線を引き込む場合、共有スペースに集合装置を設け、この集合装置を局側の光ファイバに接続すると共に構内のメタリックケーブルに接続し、集合装置と各部屋のモデム装置との間を、ｘＤＳＬ（例えばＶＤＳＬ（Very high bit-rate Digital Subscriber Line）方式でデータを伝送することが行われている。
【０００３】
このような、集合住宅向けのｘＤＳＬ高速メタル通信では、隣接回線からの漏話等、周囲の雑音の影響を受けやすい。そこで、周囲の雑音の変化に応じて、ＳＮＲ（Signal to Noise Ratio（信号対雑音比））マージンを確保できるようにサブキャリアにビットを再割り当てし、雑音環境変化に応じた最適な帯域を確保するような制御が行われている。このような機能は、ＳＲＡ(Seamless Rate Adaptation（シームレス・レート・アダプテーション）)と呼ばれている。図１７は、構内のメタリックケーブル１００の構造を示すものである。図１７は、１０対サブユニットと称されるもので、４本の導体を撚り合わせたカッド１０１ａ、１０１ｂ、１０１ｃ、１０１ｄ、１０１ｅからなる。
特許文献１には、パケットが一定時間流れない場合には、送信出力電力を低減させて、消費電力を低減させるようにしたＤＳＬモデム装置が開示されている。
【先行技術文献】
【特許文献】
【０００４】
【特許文献１】特開２００５−３２３３０１号公報
【発明の概要】
【発明が解決しようとする課題】
【０００５】
しかしながら、図１７に示したような構造のメタリックケーブルでは、特に、同一のカッド内の通信が開始されると、漏話による影響を強く受けることになる。また、同一カッド内でなくても、近接するカッドでの通信では、漏話による影響を受ける可能性が高い。例えば、カッド１０１ａ内のケーブル１０２ａでデータ通信が行われている間に、ケーブル１０２ｂで他のデータ通信が開始されると、カッド１０１ａ内のケーブル１０２ａのデータ通信では、漏話の影響を強く受け、カッド１０１ａ内のケーブル１０２ａのデータ通信のＳＮＲマージンが急激に低下する。このため、ケーブル１０２ｂでの通信を開始する際に、ケーブル１０２ｂでの通信電力を規定値まで瞬時に上げてしまうと、それまでデータ通信が行われていたケーブル１０２ａでデータ通信のリンク断が発生するようなことが考えられる。
【０００６】
このように、集合住宅向けのｘＤＳＬ高速メタル通信では、データ通信を開始する際に、同一メタリックケーブル内の隣接回線への漏話等による影響が懸念される。また、特許文献１に記載されているようなモデム装置を使う場合にも、再び送信出力電力が増加されると、同一メタリックケーブル内の隣接回線に対して漏話による影響を与える虞がある。このため、データ通信を開始する際に、送信出力電力を規定値まで瞬時に増加させると、他の回線に妨害を与えてしまい、妨害を受けた回線でエラーが発生したり、リンク切れを起こしたりする等の問題が生じる。
【０００７】
上述の課題を鑑み、本発明は、隣接回線の漏話によるエラーの発生を抑制すると共に、十分な送信出力電力を確保して、データ通信を行うことができる通信システムおよび通信方法を提供することを目的とする。
【課題を解決するための手段】
【０００８】
上述の課題を解決するために、本発明に係る通信システムは、集合装置と、集合装置との間でデータ通信を行う少なくとも第１及び第２の端末装置とからなる通信システムであって、端末装置と集合装置との間の通信状態の信号対雑音比を検出する信号対雑音比検出部と、端末装置と集合装置との間の電力制御を行う送信出力制御部と、端末装置と集合装置との間で測定した信号対雑音比と基準値とを比較して割り当てビット数を増減させ、雑音環境変化に適応したビットレートに制御するレート適応制御部とを備え、第１の端末装置と集合装置との間の通信を開始する際に、第２の端末装置と集合装置との間の信号対雑音比を検出し、検出した信号対雑音比と基準値と比較しながら、第１の端末装置と集合装置との間の送信出力電力を制御することを特徴とする。
【０００９】
上記発明において、レート適応制御部は、基準値として下限基準値である第１の基準値と第１の基準値より大きい値である第２の基準値とを有し、測定した信号対雑音比が第１の基準値を下回れば、割り当てビット数を減じてビットレートを下げ、測定した信号対雑音比が第２の基準値を超えれば、割り当てビット数を増加させてビットレートを上げる制御を行い、送信出力電力の制御は、集合装置と第２の端末装置との間の信号対雑音比が第１の基準値より低下したら、集合装置と第１の端末装置との間の送信出力電力を一定にし、所定のタイムインターバルの経過後、レート適応制御により、集合装置と第２の端末装置との間の信号対雑音比が第２の基準値まで回復したら、再び、集合装置と第１の端末装置との間の送信出力電力を増加させる処理を繰り返して行うことを特徴とする。
【００１０】
上記発明において、集合装置と第１の端末装置との間の送信出力電力を、漸次増加させることを特徴とする。
【００１１】
上記発明において、さらに、第２の端末装置と集合装置との信号対雑音比を第２の基準値から第１の基準値に変化させるときの第１の端末装置の送信出力電力を記憶した記憶手段を備え、集合装置と第１の端末装置との間の送信出力電力を、記憶手段に記憶されている送信出力電力に基づいて瞬時に増加させることを特徴とする。
【００１２】
また、本発明は、集合装置と、集合装置との間でデータ通信を行う少なくとも第１及び第２の端末装置とからなる通信システムの通信方法であって、第１の端末装置と集合装置との間の通信を開始する際に、第２の端末装置と集合装置との間の信号対雑音比を検出するステップと、第２の端末装置と集合装置との間で測定した信号対雑音比と基準値とを比較して割り当てビット数を増減させ、雑音環境変化に適応したビットレートに制御するステップと、検出した信号対雑音比と基準値と比較しながら、第１の端末装置と集合装置との間の送信出力電力を制御するステップと、を備えることを特徴とする。
【発明の効果】
【００１３】
本発明によれば、送信出力電力を増加させる際に、隣接回線のＳＮＲマージンの変動を検出し、ＳＲＡ動作により隣接回線のＳＮＲマージンが改善されるのを判定しながら、送信出力電力を増加させているので、隣接回線の漏話によるエラーの発生やリンク切れを抑制すると共に、十分な出力電力まで、送信出力電力を増加させることができる。
【図面の簡単な説明】
【００１４】
【図１】本発明の第１の実施形態の通信システムの概要を示すブロック図である。
【図２】本発明の第１の実施形態の通信システムにおける集合装置及びモデム装置の機能ブロック図である。
【図３】本発明の第１の実施形態における集合装置とモデム装置との関係の説明図である。
【図４】本発明の第１の実施形態におけるＳＮＲマージンの変化と送信電力の変化を示したグラフである。
【図５】本発明の第１の実施形態の動作を示すシーケンス図である。
【図６】本発明の第１の実施形態の動作を示すシーケンス図である。
【図７】本発明の第１の実施形態の動作を示すフローチャートである。
【図８】本発明の第１の実施形態の動作を示すフローチャートである。
【図９】本発明の第２の実施形態の通信システムにおける集合装置及びモデム装置の機能ブロック図である。
【図１０】本発明の第１の実施形態におけるＳＮＲマージンの変化と送信電力の変化を示したグラフである。
【図１１】本発明の第２の実施形態の動作を示すフローチャートである。
【図１２】本発明の第２の実施形態の動作を示すフローチャートである。
【図１３】本発明の第３の実施形態における集合装置とモデム装置との関係の説明図である。
【図１４】本発明の第３の実施形態のフローチャートである。
【図１５】本発明の第４の実施形態の動作を示すフローチャートである。
【図１６】本発明の第４の実施形態の動作を示すフローチャートである。
【図１７】メタリックケーブルの説明図である。
【発明を実施するための形態】
【００１５】
以下、本発明の実施の形態について図面を参照しながら説明する。
＜第１の実施形態＞
図１は、本発明の第１の実施形態の通信システムの概要を示すものである。図１に示すように、本発明の第１の実施形態の通信システムは、集合装置１と、複数のモデム装置（端末装置）２ａ、２ｂ、…とから構成されている。集合装置１は、例えばマンションの共有スペースに設置されている。集合装置１は、光アクセス装置や光ファイバケーブル５を介して、通信網４に接続されると共に、構内のメタリックケーブル３を介して、モデム装置２ａ、２ｂ、…に接続されている。
モデム装置２ａ、２ｂ、…は、例えばマンションの各部屋に設定されている。モデム装置２ａ、２ｂ、…には、それぞれ、パーソナルコンピュータ等のデータ通信機器が接続されている。
【００１６】
図２は、本発明の第１の実施形態の通信システムにおける集合装置及びモデム装置の機能ブロック図である。
図２において、集合装置１は、送受信部１１ａ、１１ｂ、…と、下り送信出力制御部１２ａ、１２ｂ、…と、上りＳＮＲ測定部１３ａ、１３ｂ、…と、ＳＲＡ制御部１４ａ、１４ｂ、…と、時間測定部１５ａ、１５ｂ、…とを備えている。
送受信部１１ａ、１１ｂ、…は、構内に設置されたモデム装置２ａ、２ｂ、…との間で、ＶＤＳＬ方式でデータの送受信を行うものである。送受信部１１ａ、１１ｂ、…は、少なくとも、モデム装置２ａ、２ｂ、…に対応した数だけ用意されている。
【００１７】
下り送信出力制御部１２ａ、１２ｂ、…は、集合装置１側から、モデム装置２ａ、２ｂ、…側にデータを送信する際の下りリンクの送信出力電力を制御している。下り送信出力制御部１２ａ、１２ｂ、…は、送受信部１１ａ、１１ｂ、…に対応した数だけ設けられる。
上りＳＮＲ測定部１３ａ、１３ｂ、…は、各モデム装置２ａ、２ｂ、…から、集合装置１への上りリンクの回線のＳＮＲを測定している。上りＳＮＲ測定部１３ａ、１３ｂ、…は、送受信部１１ａ、１１ｂ、…に対応した数だけ設けられる。
【００１８】
ＳＲＡ制御部１４ａ、１４ｂ、…は、ＳＲＡ(Seamless rate adaptation：シームレス・レート・アダプテーション)の機能を実現するものである。ＳＲＡは、測定したＳＮＲマージンと基準値とを比較して割り当てビット数を増減させ、雑音環境変化に応じて、リンクのビットレートを最適化するものである。すなわち、ＳＲＡ制御では、一定時間内に検知したＳＮＲが基準値を下回る程に減少すれば、サブキャリアに割り当てられるビット数を減じることによりビットレートを落としてＳＮＲを増加させ、基準値を超える程に増加すれば、サブキャリアに割り当てるビット数を増加させることにより、ビットレートを上げて、ＳＮＲを減少させるように制御する。ＳＲＡ制御部１４ａ、１４ｂ、…は、送受信部１１ａ、１１ｂ、…に対応した数だけ設けられる。
【００１９】
時間測定部１５ａ、１５ｂ、…は、妨害を受けた通信のＳＮＲマージンがダウンシフトマージンβより低下したのを受けて、妨害を与える通信の送信出力電力を一定にしてから、所定時間のタイムインターバルを設定するものである。ダウンシフトマージンβ（単位ｄＢ）は、ＳＲＡ制御を起動するときの下限基準値（第１の基準値）である。ダウンシフトマージン（β＋１）は、ＳＲＡ制御から回復させるときの基準値（第２の基準値）であり、下限基準値よりも大きい値である。時間測定部１５ａ、１５ｂ、…は、送受信部１１ａ、１１ｂ、…に対応した数だけ設けられる。
【００２０】
モデム装置２ａ、２ｂ、…は、それぞれ、送受信部５１ａ、５１ｂ、…と、上り送信出力制御部５２ａ、５２ｂ、…と、下りＳＮＲ測定部５３ａ、５３ｂ、…とを備えている。
送受信部５１ａ、５１ｂ、…は、それぞれ、例えばＶＤＳＬ方式により、集合装置１とデータ通信を行うものである。
【００２１】
上り送信出力制御部５２ａ、５２ｂ、…は、モデム装置２ａ、２ｂ、…側から集合装置１側にデータを送信する際の上りリンクの送信出力電力を制御している。
下りＳＮＲ測定部５３ａ、５３ｂ、…は、集合装置１から各モデム装置２ａ、２ｂ、…への下りリンクの回線のＳＮＲを測定している。
前述したように、集合装置１と、各モデム装置２ａ、２ｂ、…とは、構内のメタリックケーブル３を介して接続されている。構内のメタリックケーブル３では、例えば、同一カッド内のケーブルの間では、漏話雑音の影響を受けやすい。
ここでは、図３に示すように、集合装置１と、モデム装置２ａ及び２ｂとがあり、集合装置１とモデム装置２ａとの間の通信回線と、集合装置１とモデム装置２ｂとの間の通信回線とは、互いに、漏話の影響を受けやすい状態にあるとする。
【００２２】
本発明の第１の実施形態では、以下に示すような処理により、このような状態でも、漏話の影響によるＳＮＲマージンを改善しつつ、十分な送信出力電力で、通信を行えるようにしている。
例えば、集合装置１とモデム装置２ａとの間の通信中に、集合装置１とモデム装置２ｂとの間の通信が開始されたとする。集合装置１とモデム装置２ｂとの間の通信を開始し、集合装置１とモデム装置２ｂとの間で、送信出力電力を徐々に増大していくと、これに伴い、集合装置１とモデム装置２ａとの間のＳＮＲマージンαは低下していく。本発明の第１の実施形態では、集合装置１とモデム装置２ａとの間のＳＮＲマージンがＳＲＡ制御の動作を行うダウンシフトマージンβより低下したら、集合装置１とモデム装置２ｂとの間の送信出力電力を一定にし、所定のインターバルの経過の後に、集合装置１とモデム装置２ａとの間で、ＳＲＡ制御を行い、集合装置１とモデム装置２ａとの間のＳＮＲマージンαが、ダウンシフトマージン（β＋１）まで回復したら、再び、集合装置１とモデム装置２ｂとの間で、送信出力電力が徐々に増大させる。以下、同様の処理が繰り返される。
【００２３】
これにより、例えば、集合装置１とモデム装置２ａとの間の通信中に、集合装置１とモデム装置２ｂとの間の通信が開始された場合に、集合装置１とモデム装置２ａとの間の通信のＳＮＲマージンαをダウンシフトマージンβより小さい値に低下させることなく、集合装置１とモデム装置２ｂとの間の通信の送信出力電力を十分に上げることができる。
【００２４】
図４は、集合装置１とモデム装置２ａとの間の通信中に、集合装置１とモデム装置２ｂとの間の通信が開始された場合の、集合装置１とモデム装置２ａとの間の通信のＳＮＲマージンαの変化と、集合装置１とモデム装置２ｂとの間の通信の送信出力電力の変化を示したグラフである。
【００２５】
図４において、横軸は時間を示し、縦軸は集合装置１とモデム装置２ａとの間の通信のＳＮＲマージンα及び集合装置１とモデム装置２ｂとの間の通信の送信出力電力を示している。また、折線Ａ１は集合装置１とモデム装置２ａとの間の通信のＳＮＲマージンαの変化を示し、折線Ｂ１は集合装置１とモデム装置２ｂとの間の通信の送信出力電力の変化を示している。
【００２６】
時刻ｔ０で、折線Ａ１で示すように、集合装置１とモデム装置２ａとの間の通信中に、集合装置１とモデム装置２ｂとの間の通信が開始されると、時刻ｔ０〜時刻ｔ１では、折線Ｂ１で示すように、集合装置１とモデム装置２ｂとの間の送信出力電力は徐々に増大し、折線Ａ１で示すように、集合装置１とモデム装置２ａとの間のＳＮＲマージンαは、漏話雑音の影響により、徐々に低下していく。
【００２７】
時刻ｔ１で、集合装置１とモデム装置２ａとの間のＳＮＲマージンαがダウンシフトマージンβより低下すると、折線Ｂ１で示すように、集合装置１とモデム装置２ｂとの間の送信出力電力は、所定のインターバルＴの間で、一定に保たれる。そして、所定のインターバルＴの経過の後の時刻ｔ２から、集合装置１とモデム装置２ａとの間で、ＳＲＡ制御が行われる。
時刻ｔ２からは、折線Ａ１で示すように、集合装置１とモデム装置２ａとの間のＳＮＲマージンαは、ＳＲＡ制御により徐々に回復していく。そして、時刻ｔ３で、集合装置１とモデム装置２ａとの間のＳＮＲマージンαは、ダウンシフトマージン（β＋１）まで回復する。
【００２８】
時刻ｔ３で、集合装置１とモデム装置２ａとの間のＳＮＲマージンαがダウンシフトマージン（β＋１）まで回復したら、折線Ｂ１で示すように、再び、集合装置１とモデム装置２ｂとの間の送信出力電力が徐々に増大される。
時刻ｔ３〜時刻ｔ４では、折線Ｂ１で示すように、集合装置１とモデム装置２ｂとの間で送信出力電力を徐々に増大していくのに伴い、折線Ａ１で示すように、集合装置１とモデム装置２ａとの間のＳＮＲマージンαは低下していく。
【００２９】
時刻ｔ４で、折線Ａ１で示すように、集合装置１とモデム装置２ａとの間のＳＮＲマージンがダウンシフトマージンβより低下すると、折線Ｂ１で示すように、集合装置１とモデム装置２ｂとの間の送信出力電力は一定に保たれ、所定のインターバルＴの経過の後の時刻ｔ５で、集合装置１とモデム装置２ａとの間で、ＳＲＡ制御が行われる。これにより、折線Ａ１で示すように、集合装置１とモデム装置２ａとの間のＳＮＲマージンαが回復していく。
【００３０】
時刻ｔ６で、ＳＲＡ制御により、集合装置１とモデム装置２ａとの間のＳＮＲマージンαがダウンシフトマージン（β＋１）まで回復したら、再び、集合装置１とモデム装置２ｂとの間で、送信出力電力が徐々に増大される。以下、送信出力電力がＭＡＸになるまで、同様の処理が繰り返される。
【００３１】
図４に示すように、このような処理により、集合装置１とモデム装置２ｂとの間の通信のＳＮＲマージンをダウンシフトマージンβより小さな値に低下させることなく、集合装置１とモデム装置２ｂとの間の通信の送信出力電力を十分に上げることができるようになる。
図５及び図６は、本発明の第１の実施形態の動作を示すシーケンス図である。図５は、上り回線の信号処理のシーケンス図を示し、図６は、下り回線の信号処理のシーケンス図を示している。
【００３２】
図５において、集合装置１とモデム装置２ａとが通信中に（ステップＳ１１）、集合装置１とモデム装置２ｂとの通信が開始されると（ステップＳ１２）、集合装置１はモデム装置２ｂに、出力増加命令を送信する（ステップＳ１３）。モデム装置２ｂは、出力増加命令を受信すると、モデム装置２ｂから集合装置１への上り回線の送信出力電力を徐々に増大させる（ステップＳ１４）。モデム装置２ｂから集合装置１への上り回線の送信出力電力を増大させていくと、集合装置１とモデム装置２ａとの間の上り回線のＳＮＲマージンαが低下していく（ステップＳ１５）。
【００３３】
集合装置１は、モデム装置２ａから集合装置１への上り回線のＳＮＲマージンを計測し（ステップＳ１６）、モデム装置２ａから集合装置１への上り回線のＳＮＲマージンαがダウンシフトマージンβより低下し、（α＜β）になると（ステップＳ１７）、集合装置１はモデム装置２ｂに、出力増加停止命令を送信する（ステップＳ１８）。
モデム装置２ｂは、出力増加停止命令を受信すると、モデム装置２ｂから集合装置１への上り回線の送信出力電力を一定にする（ステップＳ１９）。
【００３４】
また、集合装置１は、ステップＳ１７で、モデム装置２ａから集合装置１へのＳＮＲマージンαがダウンシフトマージンβより低下したことを検出すると、所定のインターバルＴの経過を待ち（ステップＳ２０）、集合装置１とモデム装置２ａとの間で、ＳＲＡ制御を行う（ステップＳ２１）。ＳＲＡ制御が行われると、モデム装置２ａから集合装置１への上り回線のビットレートが下げられ、ＳＮＲマージンが改善していく（ステップＳ２２）。モデム装置２ａから集合装置１への上り回線のＳＮＲマージンαがダウンシフトマージン（β＋１）より改善し、（α＞β＋１）になると（ステップＳ２３）と、集合装置１はモデム装置２ｂに、再び、出力増加命令を送信する（ステップＳ２４）。以下、同様の処理が繰り返される。
【００３５】
図６は、下り回線の信号処理のシーケンス図を示している。図６において、集合装置１とモデム装置２ａとが通信中に（ステップＳ５１）、集合装置１とモデム装置２ｂとの通信が開始されると（ステップＳ５２）、集合装置１は、集合装置１からモデム装置２ｂへの下り回線の送信出力電力を徐々に増大させる（ステップＳ５３）。集合装置１からモデム装置２ｂへの下り回線の送信出力電力を増大させていくと、モデム装置２ｂと集合装置１との間の下り回線のＳＮＲマージンが低下していく（ステップＳ５４）。
【００３６】
モデム装置２ｂは、集合装置１からモデム装置２ｂへの下り回線のＳＮＲマージンを計測しており（ステップＳ５５）、モデム装置２ｂは集合装置１に、このＳＮＲマージンを定期的（例えば２秒毎）に送信している（ステップＳ５６）。
集合装置１からモデム装置２ａへの下り回線のＳＮＲマージンαがダウンシフトマージンβより低下し、（α＜β）になると（ステップＳ５７）と、集合装置１は、集合装置１からモデム装置２ｂへの下り回線の送信出力電力を一定にする（ステップＳ５８）。
【００３７】
また、集合装置１は、ステップＳ５７で、集合装置１からモデム装置２ａへのＳＮＲマージンαがダウンシフトマージンβより低下したことを検出すると、所定のインターバルＴの経過を待ち（ステップＳ５９）、集合装置１とモデム装置２ａとの間で、ＳＲＡ制御を行う（ステップＳ６０）。ＳＲＡ制御が行われると、集合装置１からモデム装置２ａへの下り回線のビットレートが下げられ、ＳＮＲマージンが改善していく（ステップＳ６１）。集合装置１からモデム装置２ａへの下り回線のＳＮＲマージンαがダウンシフトマージン（β＋１）より改善し、（α＞β＋１）になると（ステップＳ６２）と、集合装置１は、再び、集合装置１からモデム装置２ｂへの下り回線の送信出力電力を徐々に増大させる（ステップＳ６３）。以下、同様の処理が繰り返される。
【００３８】
図７及び図８は、本発明の第１の実施形態の動作を示すフローチャートである。図７は、上り回線の信号処理を行う場合の集合装置１の処理を示し、図８は、下り回線の信号処理を行う場合の集合装置１の処理を示している。
図７において、集合装置１とモデム装置２ｂとの通信を開始すると（ステップＳ１０１）、集合装置１は、集合装置１とモデム装置２ｂとの電力の増大の影響により、集合装置１とモデム装置２ｂの上り回線以外で、ＳＮＲマージン低下がある上り回線があるかどうかを判定する（ステップＳ１０２）。ＳＮＲマージン低下がある上り回線がなければ、処理を終了する。
【００３９】
集合装置１とモデム装置２ｂとの電力の増大の影響により、ＳＮＲマージン低下がある上り回線がある場合には、集合装置１は、モデム装置２ｂに、出力増加命令を送信し（ステップＳ１０３）、ＳＮＲマージン低下のある上り回線（ここでは、モデム装置２ａから集合装置１への上り回線）のＳＮＲマージンαがＳＲＡ制御の動作を行うダウンシフトマージンβより低下し、（α＜β）になったかどうかを判定する（ステップＳ１０４）。
モデム装置２ａから集合装置１への上り回線のＳＮＲマージンαがダウンシフトマージンβより低下したことが検出された場合には、集合装置１は、モデム装置２ｂに、出力増加停止命令を送信し（ステップＳ１０５）、所定のインターバルＴの経過を待ち（ステップＳ１０６）、ＳＲＡ制御部１４ａを動作させる（ステップＳ１０７）。
【００４０】
ＳＲＡ制御が行われると、モデム装置２ａから集合装置１への上り回線のビットレートが下げられ、ＳＮＲマージンが改善していく。ＳＮＲ動作を行っている間、モデム装置２ａは、モデム装置２ａから集合装置１への上り回線のＳＮＲマージンαがダウンシフトマージン（β＋１）より大きくなったかどうかを判定する。モデム装置２ａから集合装置１への上り回線のＳＮＲマージンαがダウンシフトマージン（β＋１）より大きくなったことが検出されると、集合装置１は、集合装置１とモデム装置２ｂとの電力の送信出力電力Ｗが最大値ＭＡＸに達したかどうかを判定し、最大値ＭＡＸに達していなければ、ステップＳ１０３に処理をリターンし、同様の処理が繰り返される。
【００４１】
図８は、下り回線の信号処理を行う場合の集合装置１の処理を示している。図８において、集合装置１とモデム装置２ｂとの通信を開始すると（ステップＳ２０１）、集合装置１は、集合装置１とモデム装置２ｂとの電力の増大の影響により、集合装置１とモデム装置２ｂとの下り回線以外で、ＳＮＲマージン低下がある下り回線があるかどうかを判定する（ステップＳ２０２）。ＳＮＲマージン低下がある下り回線がなければ、処理を終了する。
【００４２】
集合装置１とモデム装置２ｂとの電力の増大の影響により、ＳＮＲマージン低下がある下り回線がある場合には、集合装置１は、集合装置１からモデム装置２ｂへの下り回線の送信出力電力を徐々に増加させる（ステップＳ２０３）。そして、集合装置１は、ＳＮＲマージン低下のある下り回線（ここでは、集合装置１からモデム装置２ａへの下り回線）のＳＮＲマージンを取得するために、モデム装置２ａからのＳＮＲマージンの情報を受信し（ステップＳ２０４）、ＳＮＲマージンαがＳＲＡ制御の動作を行うダウンシフトマージンβより低下し、（α＜β）になったかどうかを判定する（ステップＳ２０５）。
【００４３】
集合装置１からモデム装置２ａへの下り回線のＳＮＲマージンαがＳＲＡ制御の動作を行うダウンシフトマージンβより低下したことが検出された場合には、集合装置１は、集合装置１からモデム装置２ｂへの送信出力電力を一定にし（ステップＳ２０６）、所定のインターバルＴの経過を待ち（ステップＳ２０７）、ＳＲＡ制御部１４ａを動作させる（ステップＳ２０８）。
【００４４】
ＳＲＡ制御が行われると、集合装置１からモデム装置２ａへの下り回線のビットレートが下げられ、ＳＮＲマージンが改善していく。ＳＮＲ動作を行っている間、集合装置１は、モデム装置２ａからのＳＮＲマージンの情報を受信し（ステップＳ２０９）、集合装置１からモデム装置２ａへの上り回線のＳＮＲマージンαがダウンシフトマージン（β＋１）より大きくなったかどうかを判定する（ステップＳ２１０）。集合装置１からモデム装置２ａへの上り回線のＳＮＲマージンαがダウンシフトマージン（β＋１）より大きくなったことが検出されると、集合装置１は、集合装置１からモデム装置２ｂへの下り送信出力電力Ｗが最大値ＭＡＸに達したかどうかを判定し、最大値ＭＡＸに達していなければ、ステップＳ１０３に処理がリターンされ、同様の処理が繰り返される。
【００４５】
以上説明したように、本発明の第１の実施形態では、モデム装置２ａと集合装置１との通信中に、モデム装置２ｂと集合装置１との通信を行う際に、集合装置１とモデム装置２ｂとの間の送信出力電力を徐々に増大させ、集合装置１とモデム装置２ａとの間のＳＮＲマージンを判定し、ＳＮＲマージンαがダウンシフトマージンβより低下したら、集合装置１とモデム装置２ｂとの間の送信出力電力を一定にし、所定のタイムインターバルの経過後、ＳＲＡ制御部を動作させ、集合装置１とモデム装置２ａとのＳＮＲマージンがダウンシフトマージン（β＋１）まで回復したら、再び、集合装置１とモデム装置２ｂとの間の送信出力電力を増大させる処理を繰り返すように電力制御を行っている。これにより、集合装置１とモデム装置２ｂとの間の通信のＳＮＲマージンを低下させることなく、集合装置１とモデム装置２ｂとの間の通信の送信電力を規定値まで上げることができる。
【００４６】
＜第２の実施形態＞
次に、本発明の第２の実施形態について説明する。図９は、本発明の第２の実施形態の通信システムにおける集合装置及びモデム装置の機能ブロック図である。図９に示すように、本発明の第２の実施形態では、前述の第１の実施形態の構成に加えて、集合装置１に、ＳＲＡ動作出力記憶部１６ａ、１６ｂ、…が備えられている。他の構成については、前述の第１の実施形態と同様である。
【００４７】
ＳＲＡ動作出力記憶部１６ａ、１６ｂ、…には、ＳＲＡ動作になる時の送信出力電力、すなわち、妨害を受ける回線のＳＮＲマージンがダウンシフトマージン（β＋１）からダウンシフトマージンβになる送信出力電力が記憶される。この実施形態では、ＳＲＡ動作出力記憶部１６ａ、１６ｂに記憶されている送信出力電力を用いることで、最大送信出力電力に設定するまでの時間を短縮できる。
前述の第１の実施形態と同様に、図３に示したように、集合装置１と、モデム装置２ａ及び２ｂとがあり、集合装置１とモデム装置２ａとの間の通信と、集合装置１とモデム装置２ｂとの間の通信とは、互いに、漏話の影響を受けやすい状態にあるとする。本発明の第２の実施形態では、以下に示すような処理が行われる。
【００４８】
例えば、集合装置１とモデム装置２ａとの間の通信中に、集合装置１とモデム装置２ｂとの間の通信が開始されたとする。集合装置１とモデム装置２ｂとの間の通信が開始されると、集合装置１とモデム装置２ａとの間は、その漏話雑音の影響を受け、ＳＮＲマージンαが低下する。ＳＲＡ動作出力記憶部１６ｂには、モデム装置２ａのＳＮＲマージンがダウンシフトマージン（β＋１）からダウンシフトマージンβまで低下することになるモデム装置２ｂの送信出力電力γが記憶されている。
【００４９】
集合装置１とモデム装置２ｂとの間で、送信出力電力を増大すると、これに伴い、集合装置１とモデム装置２ａとの間のＳＮＲマージンαは低下していく。本発明の第２の実施形態では、集合装置１とモデム装置２ａとの間のＳＮＲマージンがＳＲＡ制御の動作を行うダウンシフトマージンβより低下したら、集合装置１とモデム装置２ｂとの間の送信出力電力を一定に保ち、所定のインターバルの経過の後に、集合装置１とモデム装置２ａとの間で、ＳＲＡ制御を行い、集合装置１とモデム装置２ａとの間のＳＮＲマージンαが、ダウンシフトマージン（β＋１）まで回復したら、集合装置１とモデム装置２ｂとの間で、ＳＲＡ動作出力記憶部１６ｂに記憶されている送信出力電力γに基づいて、送信出力電力を増大させる。以下、同様の処理が繰り返される。
【００５０】
これにより、例えば、集合装置１とモデム装置２ａとの間の通信中に、集合装置１とモデム装置２ｂとの間の通信が開始された場合に、集合装置１とモデム装置２ａとの間の通信のＳＮＲマージンαをダウンシフトマージンβより小さな値に低下させることなく、集合装置１とモデム装置２ｂとの間の通信の送信出力電力を十分に上げることができる。この場合、集合装置１とモデム装置２ｂとの間の通信の送信出力電力を増大させる際に、ＳＲＡ動作出力記憶部１６ｂに記憶されている送信出力電力に基づいて、ＳＮＲマージンがダウンシフトマージン（β＋１）からダウンシフトマージンβになる送信出力電力γまで瞬時に増大させているので、制御時間の短縮が図れる。
【００５１】
図１０は、本発明の第２の実施形態において、集合装置１とモデム装置２ａとの間の通信中に、集合装置１とモデム装置２ｂとの間の通信が開始された場合の、集合装置１とモデム装置２ｂとの間の通信のＳＮＲマージンαの変化と、集合装置１とモデム装置２ｂとの間の通信の送信出力電力の変化を示したグラフである。
【００５２】
時刻ｔ１０で、集合装置１とモデム装置２ａとの間の通信中に、集合装置１とモデム装置２ｂとの間の通信が開始されると、時刻ｔ１０〜時刻ｔ１１では、折線Ｂ１１で示すように、集合装置１とモデム装置２ｂとの間の送信出力電力は、ＳＲＡ動作出力記憶部１６ｂに記憶されている送信出力電力に基づいて、瞬時に増大する。これに伴い、折線Ａ１１で示すように、集合装置１とモデム装置２ａとの間のＳＮＲマージンαは、漏話雑音の影響により、ＳＮＲマージンはダウンシフトマージンβまで瞬時に低下する。
【００５３】
時刻ｔ１１で、折線Ａ１１で示すように、集合装置１とモデム装置２ａとの間のＳＮＲマージンαがダウンシフトマージンβより低下すると、折線Ｂ１１で示すように、集合装置１とモデム装置２ｂとの間の送信出力電力は、所定のインターバルＴの間で、一定に保たれる。そして、所定のインターバルＴの経過の後の時刻ｔ１２から、集合装置１とモデム装置２ａとの間で、ＳＲＡ制御が行われる。
時刻ｔ１２からは、折線Ａ１１で示すように、集合装置１とモデム装置２ａとの間のＳＮＲマージンαは、ＳＲＡ制御により徐々に回復していく。そして、時刻ｔ１３で、集合装置１とモデム装置２ａとの間のＳＮＲマージンαは、ダウンシフトマージン（β＋１）まで瞬時に回復する。
【００５４】
時刻ｔ１３で、集合装置１とモデム装置２ａとの間のＳＮＲマージンαがダウンシフトマージン（β＋１）まで回復したら、折線Ｂ１１で示すように、ＳＲＡ動作出力記憶部１６ｂに記憶されている送信出力電力γに基づいて、集合装置１とモデム装置２ｂとの間の送信出力電力が増大する。
時刻ｔ１３〜時刻ｔ１４では、折線Ｂ１１で示すように、集合装置１とモデム装置２ｂとの間で送信出力電力の増大に伴い、折線Ａ１１で示すように、集合装置１とモデム装置２ａとの間のＳＮＲマージンαは、ＳＮＲマージンはダウンシフトマージンβまで、瞬時に低下する。
【００５５】
時刻ｔ１４で、折線Ａ１１で示すように、集合装置１とモデム装置２ａとの間のＳＮＲマージンがダウンシフトマージンβより低下すると、折線Ｂ１１で示すように、集合装置１とモデム装置２ｂとの間の送信出力電力は一定に保たれ、所定のインターバルＴの経過の後の時刻ｔ１５で、集合装置１とモデム装置２ａとの間で、ＳＲＡ制御が行われる。これにより、折線Ａ１１で示すように、集合装置１とモデム装置２ａとの間のＳＮＲマージンαが回復していく。
【００５６】
時刻ｔ１６で、ＳＲＡ制御により、集合装置１とモデム装置２ａとの間のＳＮＲマージンαがダウンシフトマージン（β＋１）まで回復したら、再び、集合装置１とモデム装置２ｂとの間で、ＳＲＡ動作出力記憶部１６ｂに記憶されている送信出力電力γに基づいて、送信出力電力が瞬時に増大していく。以下、同様の処理が繰り返される。
図４と図９とを比較すれば分かるように、本発明の第２の実施形態では、妨害を受けた通信のＳＮＲマージンがダウンシフトマージン（β＋１）までが回復したときの送信出力電力γが記憶されているので、最大電力に設定するまでの時間を短縮できる。
図１１及び図１２は、本発明の第２の実施形態の動作を示すフローチャートである。図１１は、上り回線の信号処理を行う場合の集合装置１の処理を示し、図１２は、下り回線の信号処理を行う場合の集合装置１の処理を示している。
【００５７】
図１１において、集合装置１とモデム装置２ｂとの通信を開始すると（ステップＳ３０１）、集合装置１は、集合装置１とモデム装置２ｂとの電力の増大の影響により、集合装置１とモデム装置２ｂ以外の回線で、ＳＮＲマージン低下がある上り回線があるかどうかを判定する（ステップＳ３０２）。ＳＮＲマージン低下がある上り回線がなければ、処理を終了する。
【００５８】
集合装置１とモデム装置２ｂとの電力の増大の影響により、ＳＮＲマージン低下がある上り回線がある場合には、集合装置１は、ＳＲＡ動作出力記憶部１６ｂに、集合装置１とモデム装置２ａとの間のＳＮＲマージンがダウンシフトマージン（β＋１）からダウンシフトマージンβになる送信出力電力γが記憶されているかどうかを判定する（ステップＳ３０３）。
【００５９】
ステップＳ３０３で、ＳＲＡ動作出力記憶部１６ｂに、ＳＮＲマージンがダウンシフトマージン（β＋１）からダウンシフトマージンβになる送信出力電力γが記憶されている場合には、モデム装置２ｂに、ＳＲＡ動作出力記憶部１６ｂに記憶されている送信出力電力γに基づいて、出力増加命令を送信する（ステップＳ３０４）。ＳＲＡ動作出力記憶部１６ｂに記憶されている送信出力電力γは、ＳＮＲマージンがダウンシフトマージン（β＋１）からダウンシフトマージンβになる送信出力電力であるから、集合装置１とモデム装置２ａとの間のＳＮＲマージンは、ダウンシフトマージンβに瞬時に上がる。
【００６０】
ステップＳ３０３で、ＳＲＡ動作出力記憶部１６ｂに、ＳＮＲマージンがダウンシフトマージン（β＋１）からダウンシフトマージンβになる送信出力電力γが記憶されていない場合には、集合装置１は、モデム装置２ｂに、出力増加命令を送信し（ステップＳ３０５）、モデム装置２ａから集合装置１への上り回線のＳＮＲマージンαがＳＲＡ制御の動作を行うダウンシフトマージンβより低下し、（α＜β）になったかどうかを判定する（ステップＳ３０６）。
【００６１】
モデム装置２ａから集合装置１への上り回線のＳＮＲマージンαがダウンシフトマージンβより低下したことが検出された場合には、集合装置１は、モデム装置２ｂに、出力増加停止命令を送信し（ステップＳ３０７）、所定のインターバルＴの経過を待ち（ステップＳ３０８）、ＳＲＡ制御部１４ａを動作させる（ステップＳ３０９）。
ＳＲＡ制御が行われると、モデム装置２ａから集合装置１への上り回線のビットレートが下げられ、ＳＮＲマージンが改善していく。ＳＲＡ動作を行っている間、モデム装置２ａは、モデム装置２ａから集合装置１への上り回線のＳＮＲマージンαがダウンシフトマージン（β＋１）より大きくなったかどうかを判定する。
【００６２】
モデム装置２ａから集合装置１への上り回線のＳＮＲマージンαがダウンシフトマージン（β＋１）より大きくなったことが検出されると、集合装置１は、ＳＲＡ動作出力記憶部１６ｂに、集合装置１とモデム装置２ａとの間のＳＮＲマージンがダウンシフトマージン（β＋１）からダウンシフトマージンβになる送信出力電力γを記憶する（ステップＳ３１１）。そして、集合装置１は、集合装置１とモデム装置２ｂとの電力の送信出力電力Ｗが最大値ＭＡＸに達したかどうかを判定し（ステップＳ３１２）、最大値ＭＡＸに達していなければ、ステップＳ１０３に処理をリターンし、同様の処理が繰り返される。
【００６３】
図１２は、下り回線の信号処理を行う場合の集合装置１の処理を示している。図１２において、集合装置１とモデム装置２ｂとの通信を開始すると（ステップＳ４０１）、集合装置１は、集合装置１とモデム装置２ｂとの電力の増大の影響により、集合装置１とモデム装置２ｂ以外の回線で、ＳＮＲマージン低下がある下り回線があるかどうかを判定する（ステップＳ４０２）。ＳＮＲマージン低下がある下り回線がなければ、処理を終了する。
集合装置１とモデム装置２ｂとの電力の増大の影響により、ＳＮＲマージン低下がある下り回線がある場合には、集合装置１は、ＳＲＡ動作出力記憶部１６ｂに、集合装置１とモデム装置２ａとの間のＳＮＲマージンがダウンシフトマージン（β＋１）からダウンシフトマージンβになる送信出力電力γが記憶されているかどうかを判定する（ステップＳ４０３）。
【００６４】
ステップＳ４０３で、ＳＲＡ動作出力記憶部１６ｂに、ＳＮＲマージンがダウンシフトマージン（β＋１）からダウンシフトマージンβになる送信出力電力γが記憶されている場合には、ＳＲＡ動作出力記憶部１６ｂに記憶されている送信出力電力γに基づいて、集合装置１からモデム装置２ｂへの下り回線の電力を増加させる（ステップＳ４０４）。ＳＲＡ動作出力記憶部１６ｂに記憶されている送信出力電力γは、ＳＮＲマージンが（β＋１）からβになる送信出力電力であるから、集合装置１とモデム装置２ａとの間のＳＮＲマージンは、ダウンシフトマージンβに瞬時に上がる。
【００６５】
ステップＳ４０３で、ＳＲＡ動作出力記憶部１６ｂに、ＳＮＲマージンがダウンシフトマージン（β＋１）からダウンシフトマージンβになる送信出力電力γが記憶されていない場合には、集合装置１からモデム装置２ｂへの下り回線の電力を徐々に増加させる（ステップＳ４０５）。そして、集合装置１は、モデム装置２ａからのＳＮＲマージンの情報を受信し（ステップＳ４０６）、ＳＮＲマージンαがＳＲＡ制御の動作を行うダウンシフトマージンβより低下し、（α＜β）になったかどうかを判定する（ステップＳ４０７）。
【００６６】
集合装置１からモデム装置２ａへの下り回線のＳＮＲマージンαがＳＲＡ制御の動作を行うダウンシフトマージンβより低下したことが検出された場合には、集合装置１は、集合装置１からモデム装置２ｂへの電力を一定にし（ステップＳ４０８）、所定のインターバルＴの経過を待ち（ステップＳ４０９）、ＳＲＡ制御部１４ａを動作させる（ステップＳ４１０）。
ＳＲＡ制御が行われると、集合装置１からモデム装置２ａへの下り回線のビットレートが下げられ、ＳＮＲマージンが改善していく。ＳＮＲ動作を行っている間、集合装置１は、モデム装置２ａからのＳＮＲマージンの情報を受信し（ステップＳ４１１）、集合装置１からモデム装置２ａへの上り回線のＳＮＲマージンαがダウンシフトマージン（β＋１）より大きくなったかどうかを判定する（ステップＳ４１２）。集合装置１からモデム装置２ａへの上り回線のＳＮＲマージンαがダウンシフトマージン（β＋１）より大きくなったことが検出されると、集合装置１は、ＳＲＡ動作出力記憶部１６ｂに、集合装置１とモデム装置２ａとの間のＳＮＲマージンがダウンシフトマージン（β＋１）からダウンシフトマージンβになる送信出力電力γを記憶する（ステップＳ４１３）。そして、集合装置１は、集合装置１からモデム装置２ｂへの下り送信出力電力Ｗが最大値ＭＡＸに達したかどうかを判定し、最大値ＭＡＸに達していなければ、ステップＳ４０３に処理をリターンし、同様の処理が繰り返される。
【００６７】
以上説明したように、本発明の第２の実施形態では、ＳＲＡ動作出力記憶部１６ａ、１６ｂ、…に、ＳＲＡ動作時の送信出力、すなわち、妨害を受ける回線のＳＮＲマージンがダウンシフトマージン（β＋１）からダウンシフトマージンβになる送信電力γが記憶され、このＳＲＡ動作出力記憶部１６ａ、１６ｂに記憶されている送信電力γを用いて、送信出力電力を瞬時に増加させているので、最大送信出力電力に設定するまでの時間を短縮できる。
【００６８】
＜第３の実施形態＞
前述までの説明では、集合装置１とモデム装置２ｂとの通信を開始する際に、それまで通信を行っている集合装置１とモデム装置２ａとのＳＮＲマージンに漏話による影響を与えないように、集合装置１とモデム装置２ｂとの間の電力を増大させるような制御を行っていた。しかしながら、集合装置１に繋がっているモデム装置は、これに限られるものではない。また、集合装置１とモデム装置２ｂとの間の電力を増大させるような制御を行おうとするときに、既に、別のモデム装置で、電力を増大させるような制御が行われている可能性がある。
【００６９】
この第３の実施形態は、このように、集合装置１とモデム装置２ｂとの間の電力を増大させるような制御を行おうとするときに、既に、別のモデム装置で、電力を増大させるような制御が行われている場合の処理に関する。
つまり、図１３に示すように、集合装置１には、モデム装置２ａ、２ｂが接続されていると共に、モデム装置２ｘ、２ｙが接続されているとする。集合装置１とモデム装置２ａとの間の通信と、集合装置１とモデム装置２ｂとの間との通信では、漏話の影響を受け易いものとする。また、集合装置１とモデム装置２ｘとの間の通信と、集合装置１とモデム装置２ｙとの間との通信では、漏話の影響を受け易いものとする。
【００７０】
ここでは、以下のような状態を想定するものとする。集合装置１とモデム装置２ｘとが通信を行っている間に、集合装置１とモデム装置２ｙとの通信が開始され、集合装置１とモデム装置２ｙとの間の電力制御処理が実行中である。ここで更に、集合装置１とモデム装置２ａとが通信を行っている間に、集合装置１とモデム装置２ｂとの通信が開始され、集合装置１とモデム装置２ｂとの間の電力制御処理が必要になったとする。
本発明の第３の実施形態では、集合装置１とモデム装置２ｙとの間の電力制御処理が実行中の間に、さらに、集合装置１とモデム装置２ｂとの電力制御処理を開始する場合には、それまで行われている集合装置１とモデム装置２ｙとの間の電力制御処理が終了するのを待って、集合装置１とモデム装置２ｂとの間の電力制御処理を行うようにしている。
【００７１】
図１４は、本発明の第３の実施形態のフローチャートである。図１４において、集合装置１とモデム装置２ｂとの通信を開始すると、集合装置１は、集合装置１とモデム装置２ｂとの電力の増大の影響により、集合装置１とモデム装置２ｂ以外の回線で、ＳＮＲマージン低下がある回線があるかどうかを判定し（ステップＳ５０１）、ＳＮＲマージン低下がある回線があるかどうかを判定すると、集合装置１は、他に電力制御処理が実行されているかどうかを判定する（ステップＳ５０２）。他に電力制御処理が実行されていなければ、第１及び第２の実施形態で説明したような、通常の電力制御処理が行われる（ステップＳ５０３）。
【００７２】
他に電力制御処理が実行中の場合には、集合装置１は、それまで実行中の電力制御処理を継続して行う。すなわち、それまで、集合装置１とモデム装置２ｙとの間の電力制御処理が行われていたら、集合装置１とモデム装置２ｙとの間の電力を増大させ、集合装置１とモデム装置２ｘとのＳＮＲマージンαがダウンシフトマージンβより低下したら、集合装置１とモデム装置２ｙとの間の電力を一定に保ち、所定のタイムインターバルの経過後、ＳＲＡ制御部を動作させ、集合装置１とモデム装置２ｘとのＳＮＲマージンαがダウンシフトマージン（β＋１）まで回復したら、再び、集合装置１とモデム装置２ｙとの間の電力を徐々に増大させる処理が繰り返される（ステップＳ５０４）。そして、集合装置１は、集合装置１とモデム装置２ｙとの間の電力制御処理が終了したかどうかを判定する（ステップＳ５０５）。
【００７３】
ステップＳ５０５で、集合装置１とモデム装置２ｙとの間の電力制御処理が終了したと判定されると、集合装置１は、集合装置１とモデム装置２ｂとの間の電力制御処理を行う。すなわち、集合装置１とモデム装置２ｂとの間の電力を徐々に増大させ、集合装置１とモデム装置２ａとのＳＮＲマージンαがダウンシフトマージンβより低下したら、集合装置１とモデム装置２ｂとの間の電力を一定に保ち、所定のタイムインターバルの経過後、ＳＲＡ制御部を動作させ、集合装置１とモデム装置２ａとのＳＮＲマージンαがダウンシフトマージン（β＋１）まで回復したら、再び、集合装置１とモデム装置２ｂとの間の電力を徐々に増大させる処理が繰り返される（ステップＳ５０６）。
【００７４】
このように、本発明の第３の実施形態では、集合装置１とモデム装置２ｙとの間の電力制御処理が実行中の間に、さらに、集合装置１とモデム装置２ｂとの通信が開始される場合には、それまで行われている集合装置１とモデム装置２ｙとの間の電力制御処理が終了するのを待って、集合装置１とモデム装置２ｂとの間の電力制御処理を行うようにしている。
【００７５】
＜第４の実施形態＞
次に、本発明の第４の実施形態について説明する。この実施形態も、前述の第３の実施形態と同様に、集合装置１とモデム装置２ｙとの間の電力制御処理が実行中の間に、さらに、集合装置１とモデム装置２ｂとの通信が開始される場合の電力制御処理に関するものである。
前述の第３の実施形態では、集合装置１とモデム装置２ｙとの間の電力制御処理が実行中の間に、さらに、集合装置１とモデム装置２ｂとの間の電力制御処理を行う場合には、それまで行われている集合装置１とモデム装置２ｙとの間の電力制御処理が終了するのを待って、集合装置１とモデム装置２ｂとの間の電力制御処理を行うようにしていた。
【００７６】
これに対して、この実施形態では、集合装置１とモデム装置２ｙとの間の電力制御処理が実行中の間に、さらに、集合装置１とモデム装置２ｂとの間の電力制御処理を行う場合には、集合装置１とモデム装置２ｙとの間の電力制御処理と並列的に、集合装置１とモデム装置２ｂとの間の電力制御処理を行うようにしている。
【００７７】
図１５及び図１６は、本発明の第４の実施形態の動作を示すフローチャートである。図１５において、集合装置１とモデム装置２ｂとの通信を開始すると、集合装置１は、集合装置１とモデム装置２ｂとの電力の増大の影響により、集合装置１とモデム装置２ｂ以外の回線で、ＳＮＲマージン低下がある回線があるかどうかを判定し（ステップＳ６０１）、ＳＮＲマージン低下がある回線があるかどうかを判定すると、集合装置１は、他に電力制御処理が実行されているかどうかを判定する（ステップＳ６０２）。他に電力制御処理が実行されていなければ、第１及び第２の実施形態で説明したような、通常の電力制御処理が行われる（ステップＳ６０３）。
【００７８】
他に電力制御処理が実行中の場合には、集合装置１は、既に行われている電力制御処理と、今回の電力制御処理とを並列的に動作させる（ステップＳ６０４）。
図１６は、ステップＳ６０３の並列的に動作させる電力制御を示すフローチャートである。図１６において、集合装置１は、集合装置１とモデム装置２ｙとの間の電力制御処理として、集合装置１とモデム装置２ｙとの間の電力を徐々に増大させ（ステップＳ７０１）、集合装置１とモデム装置２ｘとのＳＮＲマージンαがダウンシフトマージンβより低下したかどうかを判定する（ステップＳ７０２）。そして、集合装置１とモデム装置２ｘとのＳＮＲマージンαがダウンシフトマージンβより低下したかどうかを判定すると、ステップＳ７０５に処理が進められる。
【００７９】
また、これと並行して、集合装置１は、集合装置１とモデム装置２ｂとの間の電力制御処理として、集合装置１とモデム装置２ｂとの間の電力を徐々に増大させ（ステップＳ７０３）、集合装置１とモデム装置２ａとのＳＮＲマージンαがダウンシフトマージンβより低下したかどうかを判定する（ステップＳ７０４）。そして、集合装置１とモデム装置２ａとのＳＮＲマージンαがダウンシフトマージンβより低下したかどうかを判定すると、ステップＳ７０５に処理が進められる。
ステップＳ７０５で、集合装置１は、ＳＮＲマージンαがダウンシフトマージンβより低下したのは、集合装置１とモデム装置２ｘとの間か、集合装置１とモデム装置２ａとの間かを判定する。
【００８０】
ステップＳ７０５で、ＳＮＲマージンαがダウンシフトマージンβより低下したのは、集合装置１とモデム装置２ｘとの間なら、集合装置１は、集合装置１とモデム装置２ｂとの間の電力を一定に保つと共に、集合装置１とモデム装置２ｙとの間の電力を一定に保ち（ステップＳ７０６）、所定のタイムインターバルの経過後（ステップＳ７０７）、集合装置１とモデム装置２ｘとの間のＳＲＡ制御部を動作させる（ステップＳ７０８）。そして、集合装置１は、集合装置１とモデム装置２ｘとのＳＮＲマージンαがダウンシフトマージン（β＋１）まで回復したかどうかを判定し（ステップＳ７０９）、集合装置１とモデム装置２ｘとのＳＮＲマージンαがダウンシフトマージン（β＋１）まで回復したら、集合装置１とモデム装置２ｙとの間の電力が最大値ＭＡＸに到達したかどうかを判定し（ステップＳ７１０）、集合装置１とモデム装置２ｙとの間の電力が最大値ＭＡＸに到達していなければ、ステップＳ７０１及びＳ７０３にリターンする。
【００８１】
ステップＳ７０５で、ＳＮＲマージンαがダウンシフトマージンβより低下したのは、集合装置１とモデム装置２ａとの間なら、集合装置１は、集合装置１とモデム装置２ｙとの間の電力を一定に保つと共に、集合装置１とモデム装置２ｂとの間の電力を一定に保ち（ステップＳ７１１）、所定のタイムインターバルの経過後（ステップＳ７１２）、集合装置１とモデム装置２ａとの間のＳＲＡ制御部を動作させる（ステップＳ７１３）。そして、集合装置１は、集合装置１とモデム装置２ａとのＳＮＲマージンαがダウンシフトマージン（β＋１）まで回復したかどうかを判定し（ステップＳ７１４）、集合装置１とモデム装置２ａとのＳＮＲマージンαがダウンシフトマージン（β＋１）まで回復したら、集合装置１とモデム装置２ｂとの間の電力が最大値ＭＡＸに到達したかどうかを判定し（ステップＳ７１５）、集合装置１とモデム装置２ｂとの間の電力が最大値ＭＡＸに到達していなければ、ステップＳ７０１及びＳ７０３にリターンする。
【００８２】
ステップＳ７１０で、集合装置１とモデム装置２ｙとの間の電力が最大値ＭＡＸに到達した場合には、集合装置１とモデム装置２ｂとの間の電力が最大値ＭＡＸに到達したかどうかを判定し（ステップＳ７１６）、集合装置１とモデム装置２ｂとの間の電力が最大値ＭＡＸに到達していなければ、ステップＳ７０１及びＳ７０３に進み、集合装置１とモデム装置２ｂとの間の電力が最大値ＭＡＸに到達したら、処理は終了となる。
【００８３】
ステップＳ７１５で、集合装置１とモデム装置２ｂとの間の電力が最大値ＭＡＸに到達した場合には、集合装置１とモデム装置２ｙとの間の電力が最大値ＭＡＸに到達したかどうかを判定し（ステップＳ７１７）、集合装置１とモデム装置２ｙとの間の電力が最大値ＭＡＸに到達していなければ、ステップＳ７０１及びＳ７０３に進み、集合装置１とモデム装置２ｙとの間の電力が最大値ＭＡＸに到達したら、処理は終了となる。
【００８４】
以上説明したように、本発明の第４の実施形態では、集合装置１とモデム装置２ｙとの間の電力制御処理が実行中の間に、さらに、集合装置１とモデム装置２ｂとの通信が開始される場合には、集合装置１とモデム装置２ｙとの間の電力を徐々に増大させ、集合装置１とモデム装置２ｘとのＳＮＲマージンαがダウンシフトマージンβより低下したかどうかを判定する処理と、集合装置１とモデム装置２ｂとの間の電力を徐々に増大させ、集合装置１とモデム装置２ａとのＳＮＲマージンαがダウンシフトマージンβより低下したかどうかを判定する処理とを並列的に行うようにしている。このように、処理を並列的に行わせることで、処理速度の向上が図れる。
【００８５】
本発明は、上述した実施形態に限定されるものではなく、この発明の要旨を逸脱しない範囲内で様々な変形や応用が可能である。
【符号の説明】
【００８６】
１  集合装置
２ａ、２ｂ…  モデム装置
３  メタリックケーブル
４  通信網
５  光ファイバケーブル
１１ａ、１１ｂ、…  送受信部
１２ａ、１２ｂ、…  下り送信出力制御部
１３ａ、１３ｂ、…  上りＳＮＲ測定部
１４ａ、１４ｂ、…  ＳＲＡ制御部
１５ａ、１５ｂ、…  時間測定部
１６ａ、１６ｂ、…  ＳＲＡ動作出力記憶部
５１ａ、５１ｂ、…  送受信部
５２ａ、５２ｂ、…  下りＳＮＲ送信出力制御部
５３ａ、５３ｂ、…  上り送信出力制御部
【図１】
0005382945.tif 000002
【図２】
0005382945.tif 000003
【図３】
0005382945.tif 000004
【図４】
0005382945.tif 000005
【図５】
0005382945.tif 000006
【図６】
0005382945.tif 000007
【図７】
0005382945.tif 000008
【図８】
0005382945.tif 000009
【図９】
0005382945.tif 000010
【図１０】
0005382945.tif 000011
【図１１】
0005382945.tif 000012
【図１２】
0005382945.tif 000013
【図１３】
0005382945.tif 000014
【図１４】
0005382945.tif 000015
【図１５】
0005382945.tif 000016
【図１６】
0005382945.tif 000017
【図１７】
0005382945.tif 000018